(57)【要約】【課題】設置環境の条件等によらず、ガス漏れの疑いがある場合に積算流量の限界を設定し、安全性と利便性を向上させる。【解決手段】ガス漏れ判別装置１０は、ガス供給管２０に接続されガスの瞬時流量を計測する超音波流量計１１と、瞬時流量から流量値、積算流量値、流量差分値を算出する流量演算部１２と、流量値の流量変化特性から使用されているガス器具を判別する器具判別部１３と、ガス漏れの判別に用いる流量特性情報を保持する記憶部１６と、流量値を含む流量特性値と前記積算流量値とに基づき、流量特性情報によってガス漏れを判定する漏れ判定部１４と、ガス漏れ判定結果に応じて警告、ガスの遮断等の保安処理を実行する保安処理部の機能を持つ制御部１５とを備える。【選択図】図１
2008224278.tif 000002
【特許請求の範囲】
【請求項１】
ガス供給管に接続され、ガス流量を計測する流量計測部と、
前記流量計測部により計測されたガスの瞬時流量に基づき、流量値及び積算流量値を算出する流量演算部と、
前記流量値の流量変化特性から前記ガス供給管を流れるガスを使用する器具を判別する器具判別部と、
ガス漏れの判別に用いる流量特性情報を保持する記憶部と、
前記流量値を含む流量特性値と前記積算流量値とに基づき、前記流量特性情報によってガス漏れを判定する漏れ判定部と、
を備えるガス漏れ判別装置。
【請求項２】
請求項１に記載のガス漏れ判別装置であって、
前記記憶部は、前記流量特性情報として流量判定値を含む判定用データを保持するもので、
前記漏れ判定部は、前記流量特性値として、前記判別された器具における流量値を用いて、前記流量特性情報の流量判定値と比較して異なる流量特性値が発生した場合にガス漏れを判定するガス漏れ判別装置。
【請求項３】
請求項１に記載のガス漏れ判別装置であって、
前記記憶部は、前記流量特性情報として積算流量判定値を含む判定用データを保持するもので、
前記漏れ判定部は、前記判別された器具における流量特性値を用いて、前記流量特性情報の判定用データと比較して流量特性値が一致した場合に、流量変化の監視を開始し、前記算出された積算流量値が前記流量特性情報の積算流量判定値となるまで流量変化に応じてガス漏れを判定するガス漏れ判別装置。
【請求項４】
請求項３に記載のガス漏れ判別装置であって、
前記漏れ判定部は、前記流量特性値として、前記判別された器具における流量値、流量変化特性値、瞬時流量値のうちの少なくともいずれか一つを含む値を用いて、この流量特性値と前記流量特性情報の判定値とが一致した場合に、流量変化の監視を開始するガス漏れ判別装置。
【請求項５】
請求項３に記載のガス漏れ判別装置であって、
前記漏れ判定部は、前記流量変化の監視を開始した後、前記算出された積算流量値が前記流量特性情報の積算流量判定値以上となるまで流量変化が発生しない場合にガス漏れを判定するガス漏れ判別装置。
【請求項６】
請求項３に記載のガス漏れ判別装置であって、
前記漏れ判定部は、前記流量変化の監視を開始した後、前記算出された積算流量値が前記流量特性情報の積算流量判定値となるまでに流量変化が発生した場合に前記流量変化の監視をリセットするガス漏れ判別装置。
【請求項７】
請求項１に記載のガス漏れ判別装置であって、
前記漏れ判定部によるガス漏れ判定結果に基づき、保安処理を実行する保安処理部を備えるガス漏れ判別装置。
【請求項８】
請求項７に記載のガス漏れ判別装置であって、
前記保安処理部は、前記保安処理として、警告、ガス供給の遮断、警告後に遮断、ユーザへの通報、センターへの通報のうちの少なくとも一つを含む処理を行うガス漏れ判別装置。
【請求項９】
請求項１から８のいずれか１項に記載のガス漏れ判別装置を用いたガス供給システム。
【発明の詳細な説明】
【技術分野】
【０００１】
本発明は、家屋等に設置されるガス流量を計測するガスメータを用いてガス供給路の漏れを検出するガス漏れ判別装置およびガス供給システムに関する。
【背景技術】
【０００２】
ガス器具の使用の際には、ガスの消し忘れやガス漏れなどによる事故を未然に防止するために、ガスのユーザ宅やガス供給路を管理しているセンターなどにおいて、異常時に通報やガス供給路の遮断を行うシステムが普及しつつある。従来のガス保安装置としては、ガス流量などに基づき、大流量が流れたときにガスの供給を遮断したり、微小流量で長時間ガスが流れたときに遮断したり、流量区分別に所定流量で所定時間ガスが流れたときに遮断するものなどが用いられている。
【０００３】
ガスのユーザの家屋等では、ガス供給路の入口部分にガス流量を計測するガスメータが設置されている。この種のガスメータとして、従来は所定の流量ごとに流れたガスの量を積算する膜式のガスメータが一般的であったが、最近では、超音波信号を用いて瞬時流量を求め、この瞬時流量を積算することでガスの流量を計測する超音波式のガスメータも提案されている。
【０００４】
また、ガスメータを用いたシステムとして、ユーザに使用されている器具を判別する器具判別システムが提案されている（例えば、特許文献１参照）。このように器具を判別することによって、特定された器具の使用状況を把握したり、特定された器具に対して課金するなどの機能を実現できる。また、特定された器具に使用時間制限を設定することも可能になる。
【０００５】
ガス漏れを判別する場合、従来の装置では、微小流量を検出した場合の他に、例えば、ガス器具の起動時の立ち上がり流量波形などの流量変化特性の一致を判定し、使用されている所定のガス器具の流量変化特性と異なる流量変化が発生した場合に、漏れの疑いありと判断するものがある。
【特許文献１】特許第３４９００６４号明細書
【発明の開示】
【発明が解決しようとする課題】
【０００６】
しかしながら、従来のガス漏れ判別装置では、流量変化特性の一致判定などによって漏れを判別しようとしても、設置場所の状況や季節など、設置環境の条件等によって流量変化特性が変化したりバラツキがある場合があり、ガス漏れではないのにガス漏れとする誤判別が生じる可能性があった。
【０００７】
本発明は、上記事情に鑑みてなされたもので、設置環境の条件等によらず、ガス漏れの疑いがある場合に積算流量の限界を設定し、安全性と利便性を向上させることが可能なガス漏れ判別装置およびガス供給システムを提供することを目的とする。
【課題を解決するための手段】
【０００８】
本発明のガス漏れ判別装置は、ガス供給管に接続され、ガス流量を計測する流量計測部と、前記流量計測部により計測されたガスの瞬時流量に基づき、流量値及び積算流量値を算出する流量演算部と、前記流量値の流量変化特性から前記ガス供給管を流れるガスを使用する器具を判別する器具判別部と、ガス漏れの判別に用いる流量特性情報を保持する記憶部と、前記流量値を含む流量特性値と前記積算流量値とに基づき、前記流量特性情報によってガス漏れを判定する漏れ判定部と、を備えるものである。
これにより、流量値を含む流量特性値と積算流量値とによってガス漏れを判定することによって、設置環境の条件等によらず、ガス漏れの疑いがある場合に積算流量の限界を設定し、安全性と利便性を向上させることが可能となる。
【０００９】
また、本発明は、上記のガス漏れ判別装置であって、前記記憶部は、前記流量特性情報として流量判定値を含む判定用データを保持するもので、前記漏れ判定部は、前記流量特性値として、前記判別された器具における流量値を用いて、前記流量特性情報の流量判定値と比較して異なる流量特性値が発生した場合にガス漏れを判定するものを含む。
これにより、所定の流量特性情報の流量判定値と異なる流量特性値が発生した場合に、流量が異常であるとしてガス漏れを判定することが可能となる。
【００１０】
また、本発明は、上記のガス漏れ判別装置であって、前記記憶部は、前記流量特性情報として積算流量判定値を含む判定用データを保持するもので、前記漏れ判定部は、前記判別された器具における流量特性値を用いて、前記流量特性情報の判定用データと比較して流量特性値が一致した場合に、流量変化の監視を開始し、前記算出された積算流量値が前記流量特性情報の積算流量判定値となるまで流量変化に応じてガス漏れを判定するものを含む。
これにより、所定の流量特性情報の判定用データと流量特性値とが一致した場合には流量変化の監視を行い、積算流量値が流量特性情報の積算流量判定値となるまでの流量変化によってガス漏れを判定することが可能となる。
【００１１】
また、本発明は、上記のガス漏れ判別装置であって、前記漏れ判定部は、前記流量特性値として、前記判別された器具における流量値、流量変化特性値、瞬時流量値のうちの少なくともいずれか一つを含む値を用いて、この流量特性値と前記流量特性情報の判定値とが一致した場合に、流量変化の監視を開始するものを含む。
これにより、流量特性値として流量値、流量変化特性値、瞬時流量値の少なくともいずれか一つを用いて、流量特性情報の判定値との一致を判定し、流量値が器具流量に相当する場合の流量変化の監視を開始することが可能となる。
【００１２】
また、本発明は、上記のガス漏れ判別装置であって、前記漏れ判定部は、前記流量変化の監視を開始した後、前記算出された積算流量値が前記流量特性情報の積算流量判定値以上となるまで流量変化が発生しない場合にガス漏れを判定するものを含む。
これにより、流量変化の監視を行って、積算流量値が流量特性情報の積算流量判定値以上となるまで流量変化が発生しない場合に、器具の正常な使用状態でないとみなしてガス漏れを判定することが可能となる。
【００１３】
また、本発明は、上記のガス漏れ判別装置であって、前記漏れ判定部は、前記流量変化の監視を開始した後、前記算出された積算流量値が前記流量特性情報の積算流量判定値となるまでに流量変化が発生した場合に前記流量変化の監視をリセットするものを含む。
これにより、流量変化の監視を行う際に、積算流量値が流量特性情報の積算流量判定値となるまでに流量変化が発生した場合には監視をリセットし、流量値が器具流量に相当する場合のガスの使用状態を識別することが可能となる。
【００１４】
また、本発明は、上記のガス漏れ判別装置であって、前記漏れ判定部によるガス漏れ判定結果に基づき、保安処理を実行する保安処理部を備えるものを含む。
これにより、ガス漏れを判別した場合に適切な保安処理を行うことが可能となる。
【００１５】
また、本発明は、上記のガス漏れ判別装置であって、前記保安処理部は、前記保安処理として、警告、ガス供給の遮断、警告後に遮断、ユーザへの通報、センターへの通報のうちの少なくとも一つを含む処理を行うものを含む。
これにより、ガス漏れを判別した場合に、例えば、警告を行ったり、ガス供給を遮断したり、電話回線等を用いてユーザへの通報を行ったり、ガス供給路を管理しているセンターへの通報を行ったりなど、各種の保安処理を行うことが可能になる。
【発明の効果】
【００１６】
本発明によれば、設置環境の条件等によらず、ガス漏れの疑いがある場合に積算流量の限界を設定し、安全性と利便性を向上させることが可能なガス漏れ判別装置およびガス供給システムを提供できる。
【発明を実施するための最良の形態】
【００１７】
図１は本発明の実施形態に係るガス漏れ判別装置の構成を示すブロック図である。本実施形態では、ガスのユーザの家屋等に設置されるガスメータを利用するガス漏れ判別装置の構成例を示す。
【００１８】
本実施形態のガス漏れ判別装置１０は、ユーザの家屋等に敷設されたガス供給管２０の途中に設けられ、このガス供給管２０の下流側の配管には複数のガス器具として器具Ａ２１、器具Ｂ２２、器具Ｃ２３が接続されている。このガス漏れ判別装置１０は、屋外または屋内の所定位置に設置される。なお、接続されるガス器具の数は図示例に限るものではなく、任意である。また、ユーザ宅としては、一般住宅の家屋だけでなく、共同住宅、店舗、工場、その他の各種施設を含むものとする。
【００１９】
ガス漏れ判別装置１０は、超音波流量計１１、流量演算部１２、器具判別部１３、漏れ判定部１４、制御部１５、記憶部１６、表示部１７、感震器１８、遮断弁１９を有して構成される。超音波流量計１１は、ガス供給管２０の経路中に接続され、後述するように、超音波信号を用いてガス供給管２０内のガス流により生じる伝搬時間差を求め、ガスの瞬時流量を検出するものである。流量演算部１２は、検出された瞬時流量を基に、瞬時流量の平均などによって流量値を算出したり、瞬時流量を積算して積算流量値を算出したり、器具判別のための流量差分値を算出するなど、流量に関する各種演算を行うものである。ここで、超音波流量計１１が流量計測部の機能を実現する。
【００２０】
器具判別部１３は、前記算出された流量差分値に基づき、記憶された器具別の判定値によって流量変化量や変化時間等のガス流量の流量変化特性を判定し、ガス供給管２０をガスが流れているときに使用されているガス器具の判別を行うものである。漏れ判定部１４は、前記算出されたガスの流量値を含む流量特性値と積算流量値とに基づき、ガス漏れが生じているか否かを判定するものである。
【００２１】
制御部１５は、保安処理部の機能を有しており、ガス漏れ判別装置各部の動作制御の他、漏れ判定部１４によるガス漏れ判定結果に基づき、警告やガスの遮断などの保安処理を行うものである。記憶部１６は、器具判別に用いる判定値等の器具判別情報、漏れ判定に用いる流量特性情報、超音波流量計１１により計測された瞬時流量値情報、流量演算部１２により算出されたガス流量値情報や積算流量値情報、並びに流量差分値情報などの流量情報、及び、使用器具や使用状況の履歴情報など、ガス漏れ判別装置１０にて用いる各種情報を記憶するものである。ここで、制御部１５、流量演算部１２、器具判別部１３、漏れ判定部１４は、マイクロコンピュータ（マイコン）等を構成するプロセッサ及び動作プログラムにより構成され、プロセッサにおいて所定の動作プログラムを実行して対応する処理を行うことにより、各機能が実現される。また、記憶部１６は、フラッシュＲＯＭ、ＲＡＭ等のメモリにより構成される。
【００２２】
表示部１７は、ＬＥＤ、液晶ディスプレイ等により構成され、ガス流量やガス器具の動作状態、警告などを表示するものである。感震器１８は、地震などの振動を検出して検出信号を制御部１５に出力するものである。遮断弁１９は、ガス供給管２０の経路中に接続され、制御部１５からの指示に基づいてガス供給管２０を閉塞してガスの供給を遮断するものである。
【００２３】
上記の超音波流量計１１及び流量演算部１２の動作について詳しく説明する。図２は超音波流量計１１の概略構成を示す構成図である。
【００２４】
超音波流量計１１は、ガス供給管２０に連通する矩形断面を持つ計測流路３２を有し、この計測流路３２の相対向する流路壁の上流側と下流側には、一対の超音波送受信器３３、３４が配置されている。これらの超音波送受信器３３、３４は、超音波伝播経路が計測流路３２を流動するガス流を斜めに横切るように設定され、交互に超音波を送受信させることによって、ガス流に対して順方向と逆方向に超音波の伝搬を行う。
【００２５】
このとき、超音波送受信器３３、３４間の距離、すなわち測定距離をＬ、ガス流に対する超音波伝播経路の角度をφ、超音波送受信器３３、３４の上流から下流への超音波伝播時間をｔ１、下流から上流への超音波伝播時間をｔ２、音速をＣとすると、流速Ｖは以下の式により求められる。
Ｖ＝Ｌ／２ｃｏｓφ(（１／ｔ１）−（１／ｔ２）)    …（１）
この流速Ｖと計測流路３２の断面積とからガス流の瞬時流量を算出する。
【００２６】
瞬時流量の計測の時間間隔は、超音波の送受信が可能な範囲で設定できる。ガス器具により起動や制御により変化する時間が器具ごとに異なるため、計測時間間隔を小さくすることは器具判別を瞬時に行う点では有利となるが、計測時間間隔を短くすると電池の消耗が大きくなる。また、計測時間間隔が従来のガスメータで使用している膜式方式と同等の２桁オーダーの秒数間隔になると、流量変化の差分を見て判断することが困難になる。そこで、本実施形態では、２秒間隔の周期的な瞬時流量の計測を行い、その差分値をとってガス器具の起動を判別する。なお、計測時間間隔は更に短くすることも可能である。例えば、ガス器具起動後は計測精度を上げるために計測時間間隔を短くするなどの制御を行ってもよい。
【００２７】
次に、器具判別部１３の動作について詳しく説明する。図３はガス器具使用時のガス流量の変化と差分値の変化を示す特性図、図４は複数のガス器具使用時のガス流量の変化と差分値の変化を示す特性図である。
【００２８】
図３において、実線は超音波流量計１１により測定されたガスの瞬時流量値、破線はそのときの微分値、すなわち、所定の計測時間間隔毎の差分値をそれぞれ示している。差分値は、ガス器具の起動時にはプラス側にピークを持って表現され、停止時にはマイナス側にピークをもって表現される。ここで、差分値の変化がある所定の値（変化判定値）以上の場合、ガス流量に変化があったとして器具の判別や状態の変化を判断する。
【００２９】
図４に示すように、ガスの瞬時流量値の差分値に基づき、例えば３つの器具（Ａ、Ｂ、Ｃ）を同時に使用した場合であっても、個々のガス器具の起動や停止、並びに出力調整時のガス流量の変化を検出できる。ガス器具毎に起動時や終了時、並びに出力調整時のガス流量調整における制御の形態が異なり、ガス流量の流量変化特性が異なっている。したがって、ガス流量やその流量変化特性を判定することによって、ガス器具の種類を判別することが可能である。
【００３０】
例えば、ガスコンロ、ガス燃焼熱を熱源とするファンヒータ、ガス湯沸かし器などの器具が判別できることとなる。なお、ガスコンロは調理用、ファンヒータは温風暖房用というように単機能であるが、ガス湯沸かし器は給湯用と床暖房用の二つの機能を有する。床暖房は床裏側に熱媒体流路を形成したもので、ここを流動する熱媒体をガス湯沸かし器で沸かした湯で加熱するようにしたものである。そして、給湯用と床暖房用とでは、起動または制御パターンが異なり、当然のことながら差分値の変化量や変化時間にも違いがある。そこで、所定値以上の差分値の連続発生回数や連続発生時間などにより、ガス器具がガス湯沸かし器である場合には、給湯用か床暖房用かまでも判定可能である。なお、差分値は起動または制御開始時だけではなく、停止または制御終了時のマイナス差分を用いてもよい。
【００３１】
次に、漏れ判定部１４の動作について詳しく説明する。図５は本実施形態におけるガス漏れの判定に用いる流量特性情報の一例を示す図である。記憶部１６には、図５に示すような判定用データを含む流量特性情報を設定記憶しておく。漏れ判定部１４は、この流量特性情報を用いて、器具種別ごとに設定された流量値と、所定の積算流量値になるまでの流量変化とによってガス漏れがあるか否かを判定する。
【００３２】
流量特性情報としては、まず、器具種別ごとに設定された標準流量値である流量判定値Ｑｒを第１の判定用データとして記憶しておく。例えば、ファンヒータに対応する１５０Ｌ（リットル）／ｈ（時間）、ガステーブルに対応する１００Ｌ／ｈなどを設定する。なお、流量判定値Ｑｒはある程度の幅を持たせて設定してもよい。そして、流量正常時の流量上限を規定する積算流量判定値Ｑmaxを第２の判定用データとして設定する。ここで、積算流量判定値はＱmax（Ａ）、Ｑmax（Ｂ）など、ガス器具の種別ごとに複数設定してもよいし、一つの積算流量判定値Ｑmaxを設定してもよい。
【００３３】
漏れ判定部１４は、まず、超音波流量計１１及び流量演算部１２により測定された流量値Ｑｍが器具種別ごとに設定された流量判定値Ｑｒと一致するか否かを判定する。ここで、流量値Ｑｍが設定記憶された流量判定値Ｑｒと一致せずに該当する器具が存在しない場合は、測定された流量値Ｑｍが異常であるため、ガス漏れと判定する。そして、流量値Ｑｍが流量判定値Ｑｒと一致して器具流量に相当する場合は、その後の流量変化を監視する。この状態で、流量値Ｑｍを積算していき、この流量積算値Ｑｎが設定記憶された積算流量判定値Ｑmaxになるまでに流量変化があった場合は、ガス器具の正常な使用状態であることを識別し、ガス漏れ無しと判定して流量変化の監視をリセットする。一方、流量積算値Ｑｎが積算流量判定値Ｑmax以上になっても流量変化が無い場合は、正常なガス器具の使用とは異なるとみなして、ガス漏れの疑いありと判定する。
【００３４】
なお、流量変化の監視を開始する条件は、所定の流量特性の判定値と一致した場合であり、上記のような通常動作時の定常状態の流量値Ｑｍの他に、流量変化特性値等の流量パターン、瞬時流量値など、種々の流量に関する流量特性値を用いることも可能である。
【００３５】
図６はガスの流量変化特性の一例を示す図、図７は漏れ判定用の積算流量判定値を示す図である。ガス流量が図６に示すような流量パターンの場合、例えばガス器具が安定動作しているタイミングａにおいて、測定された流量値Ｑｍと設定記憶された流量判定値Ｑｒとを比較し、流量値Ｑｍが器具流量に相当するかどうかを判断する。そして、流量値Ｑｍが器具流量に相当する場合は、流量値Ｑｍを積算しながら流量変化を監視し、積算流量値Ｑｎが設定記憶された積算流量判定値Ｑmaxになるまでに流量変化があるかどうかを判定し、流量変化の有無によって、正常なガス器具の使用によるガスの流れか、あるいはガス漏れかを判別する。
【００３６】
図８は本実施形態のガス漏れ判別装置の動作手順を示すフローチャートである。まず、超音波流量計１１及び流量演算部１２により、所定の計測時間間隔ごとに瞬時流量を計測し、瞬時流量の積算値や差分値等を算出する（ステップＳ１）。そして、器具判別部１３により、瞬時流量の差分値に基づいて流量変化量や変化時間等の流量変化特性から使用されているガス器具を判別する（ステップＳ２）。次に、漏れ判定部１４により、測定された流量値Ｑｍを流量判定値Ｑｒと比較して流量値Ｑｍが異常かどうかを判定する（ステップＳ３）。ここで、流量値Ｑｍに異常がある場合は、ガス漏れありと判定する（ステップＳ８）。
【００３７】
ステップＳ３において流量値Ｑｍが器具流量に相当するである場合は、漏れ判定部１４は流量変化の監視を開始する（ステップＳ４）。そして、流量値Ｑｍを積算しながら、流量変化があるか否か（ステップＳ５）、積算流量値Ｑｎが積算流量判定値Ｑmax以上になったかどうか（ステップＳ６）を判定する。ステップＳ５で流量変化が検出された場合は、流量変化の監視をリセットし（ステップＳ７）、その後ステップＳ１に戻って同様の処理を繰り返す。また、積算流量値Ｑｎが積算流量判定値Ｑmax未満の場合も、ステップＳ１に戻って同様の処理を繰り返す。
【００３８】
ステップＳ５、Ｓ６で流量変化が検出されず、積算流量値Ｑｎが積算流量判定値Ｑmax以上となった場合は、漏れ判定部１４はガス漏れの疑いありと判定する（ステップＳ８）。ガス漏れを判別した場合は、ガス漏れ判定信号を制御部１５へ出力する。制御部１５は、ガス漏れ判定信号を入力すると、警告や遮断などの保安処理を行う。なお、保安処理としては、警告を行う、警告を行った後に遮断する、遮断する、遮断後に再度復旧させる自動復帰確認機能など、種々の処理やその組み合わせが考えられる。警告を行う際に、ユーザが登録している固定電話や携帯電話に遮断や遮断予告の通知をしたり、ガス供給路を管理しているセンターに通報するようなことも可能である。
【００３９】
警告を行う場合は、制御部１５から表示部１７に警告指示信号を送出し、この警告指示信号に応じて、表示部１７においてＬＥＤ点灯や液晶ディスプレイへの文字や絵の表示などを行って異常を報知する。また、音などを用いて警告してもよい。遮断を行う場合は、制御部１５から遮断弁１９に遮断指示信号を送出し、この遮断指示信号に応じて、遮断弁１９を駆動してガス供給管２０を閉じ、ガスの供給を遮断する。
【００４０】
上述したように、本実施形態によれば、超音波流量計１１及び流量演算部１２においてガスの流量値や積算流量値を算出し、漏れ判定部１４において流量値及び積算流量値を用いてガス漏れを判別する。このとき、器具種別ごとに設定された流量判定値との比較によって流量値に異常が無いかを判別するとともに、積算流量値が所定の積算流量判定値になるまでの流量変化を監視し、一定の流量が継続したまま流量変化が無い場合はガス漏れの疑いありと判別する。これにより、設置場所の状況や季節などの設置環境の条件などに影響を受けることなく、ガス漏れ判別を精度良く行うことができる。また、ガス漏れの立上がりが検出されずに、ガス漏れの開始時点が不明な場合においても、所定の流量判定値発生以降について流量の監視を行うことで、ガス漏れに対して安全な対策を施すことが可能である。
【００４１】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００４２】
本発明は、設置環境の条件等によらず、ガス漏れの疑いがある場合に積算流量の限界を設定し、安全性と利便性を向上させることが可能となる効果を有し、家屋等に設置されるガス流量を計測するガスメータを用いてガス供給路の漏れを検出するガス漏れ判別装置ならびにガスを供給する供給システム等に有用である。
【図面の簡単な説明】
【００４３】
【図１】本発明の実施形態に係るガス漏れ判別装置の構成を示すブロック図
【図２】本実施形態における超音波流量計の概略構成を示す構成図
【図３】本実施形態におけるガス器具使用時のガス流量の変化と差分値の変化を示す特性図
【図４】本実施形態における複数のガス器具使用時のガス流量の変化と差分値の変化を示す特性図
【図５】本実施形態におけるガス漏れの判定に用いる流量特性情報の一例を示す図
【図６】本実施形態におけるガスの流量変化特性の一例を示す図
【図７】本実施形態における漏れ判定用の積算流量判定値を示す図
【図８】本実施形態のガス漏れ判別装置の動作手順を示すフローチャート
【符号の説明】
【００４４】
１０  ガス漏れ判別装置
１１  超音波流量計
１２  流量演算部
１３  器具判別部
１４  漏れ判定部
１５  制御部（保安処理部）
１６  記憶部（流量特性情報）
１７  表示部
１８  感震器
１９  遮断弁
２０  ガス供給管
２１、２２、２３  器具
【図１】
2008224278.tif 000003
【図２】
2008224278.tif 000004
【図３】
2008224278.tif 000005
【図４】
2008224278.tif 000006
【図５】
2008224278.tif 000007
【図６】
2008224278.tif 000008
【図７】
2008224278.tif 000009
【図８】
2008224278.tif 000010